(57)【要約】【課題】ランスと溶銑の液面との距離を、処理ガスの吹き付け中であっても正確に計測でき、処理ガスとの反応特性を改善できるランス装置を提供する。【解決手段】ランスにマイクロ波距離計を組み込み、該マイクロ波距離計によりランスと溶融金属の液面との距離を検出し、検出した位置情報を基にランスの位置を制御するランスの位置制御方法、並びに炉内の溶融金属に処理ガスを吹き付けるための噴射口を備えるランスと、前記ランスに組み込まれ、該ランスから溶融金属の表面までの距離を測定するためのマイクロ波距離計とを備えるランス装置。【選択図】図２
2009097035.tif 000002
【特許請求の範囲】
【請求項１】
溶融炉において溶融金属に処理ガスを吹き付けるランスの位置を制御する方法であって、
ランスにマイクロ波距離計を組み込み、該マイクロ波距離計によりランスと溶融金属の液面との距離を検出し、検出した位置情報を基にランスの位置を制御することを特徴とするランスの位置制御方法。
【請求項２】
炉内の溶融金属に処理ガスを吹き付けるための噴射口を備えるランスと、前記ランスに組み込まれ、該ランスから溶融金属の表面までの距離を測定するためのマイクロ波距離計とを備えることを特徴とするランス装置。
【請求項３】
マイクロ波距離計のアンテナを、ランスの下面に設けたことを特徴とする請求項２記載のランス装置。
【請求項４】
マイクロ波距離計のマイクロ波送受信器を備えるコントローラを、ランスの内部または上部に取り付けたことを特徴とする請求項２または３記載のランス装置。
【請求項５】
アンテナとコントローラ間を導波管で接続したことを特徴とする請求項４記載のランス装置。
【請求項６】
導波管が、マイクロ波送受信器に接続する第１の導波管と、アンテナに接続する第２の導波管と、第１の導波管及び第２の導波管よりも大径で、かつ、第１の導波管及び第２の導波管のそれぞれにテーパ管を介して接続する第３の導波管とで構成されることを特徴とする請求項５記載のランス装置。
【請求項７】
処理ガスを外部から供給して噴射口から吹き出すためのガス流通路が、導波管を包囲して形成されていることを特徴とする請求項６記載のランス装置。
【請求項８】
導波管が通気孔を有し、通気孔を通じてガス流通路を流通する処理ガスを導波管に流入させアンテナから噴出することを特徴とする請求項７記載のランス装置。
【請求項９】
アンテナとコントローラ間を同軸ケーブルで接続したことを特徴とする請求項４記載のランス装置。
【請求項１０】
アンテナが該アンテナに接続し、かつ、通気孔が形成された導波管を備えるとともに、処理ガスを外部から供給して噴射口から吹き出すためのガス流通路が導波管を包囲して形成されており、通気孔を通じてガス流通路を流通する処理ガスを導波管に流入させアンテナから噴出することを特徴とする請求項９記載のランス装置。
【請求項１１】
マイクロ波距離計の距離出力により、ランスの位置を制御することを特徴とする請求項２〜１０の何れか１項に記載のランス装置。
【発明の詳細な説明】
【技術分野】
【０００１】
本発明は、例えば、製鉄所の製鋼工場内の転炉設備に使用されるランス装置、及びその位置制御方法に関する。
【背景技術】
【０００２】
転炉設備では、鉄の加工工程でガスを溶銑や溶鋼に吹き付け脱炭、脱硫、脱燐等をするためにランスが使用されている（例えば、特許文献１参照）。
【０００３】
例えば上吹き転炉では、ランスの下面に設けられた噴射口から高速の純酸素ジェットを溶銑に吹き付け、吹き付けられた酸素と溶銑中の炭素とを直接反応させて一酸化炭素として脱炭する。その際、ランスを最適位置に配置するために、マイクロ波距離計を使用してランス下面の噴射口から溶銑面までの距離を測定している。
【０００４】
図１は、従来の上吹き転炉の一例を模式的に示す断面図である。マイクロ波距離計１１は、転炉１６の上方の適所に設置されたロボットアーム１２に取り付けられている。距離計測時、ランス１０は、ランスホール１３の延長線上の最上部に位置する。始動位置にあるロボットアーム１２に計測開始信号が与えられると、ロボットアーム１２が旋回してマイクロ波距離計１１のアンテナ１１３をランスホール１３の真上に移動させる。コントローラ１１２で発振したマイクロ波がアンテナ１１３よりマイクロ波ビーム１４となり転炉１６内に送信される。そして、溶銑の液面１５で反射されたマイクロ波ビーム１４がアンテナ１１３で受信され、コントローラ１１２に帰る。コントローラ１１２では、マイクロ波の送信から受信までの時間を基に、アンテナ１１２から溶銑又はスラグ面の液面１５までの距離を計算し出力する。距離計測後、ロボットアーム１２は始動位置に戻り、次いで、測定された距離情報に基づいてランス１０がランスホール１３を通じて所定量下降し、吹き付け作業を開始する。
【０００５】
【特許文献１】特開平１０−１４０２２４号公報
【発明の開示】
【発明が解決しようとする課題】
【０００６】
上吹き転炉では、吹き付け中、溶銑の液面１５は大きく窪み、しかも窪み部分を含めて液面全体が激しく波打っている（図２参照）。しかし、上記の方式では、ランス１０と溶銑の液面１５との距離は吹き付け作業前に一度測定されるだけであるため、吹き付け中のランス１０の噴射口と溶銑の液面１５との距離が不明であり、酸素と炭素との反応が十分に行われない可能性がある。
【０００７】
また、溶銑の液面１５にはスラグが浮遊しているため、吹き付け停止時に溶銑の液面１５までの距離を計測することも困難である。
【０００８】
本発明は前述した問題点を解決し、ランスと溶銑の液面との距離を、処理ガスの吹き付け中であっても正確に計測でき、処理ガスとの反応特性を改善できるランス装置を提供することを目的とする。
【課題を解決するための手段】
【０００９】
上記目的を達成するために、本発明は、下記のランス装置を提供する。
（１）溶融炉において溶融金属に処理ガスを吹き付けるランスの位置を制御する方法であって、
ランスにマイクロ波距離計を組み込み、該マイクロ波距離計によりランスと溶融金属の液面との距離を検出し、検出した位置情報を基にランスの位置を制御することを特徴とするランスの位置制御方法。
（２）炉内の溶融金属に処理ガスを吹き付けるための噴射口を備えるランスと、前記ランスに組み込まれ、該ランスから溶融金属の表面までの距離を測定するためのマイクロ波距離計とを備えることを特徴とするランス装置。
（３）マイクロ波距離計のアンテナを、ランスの下面に設けたことを特徴とする上記（２）記載のランス装置。
（４）マイクロ波距離計のマイクロ波送受信器を備えるコントローラを、ランスの内部または上部に取り付けたことを特徴とする上記（２）または（３）記載のランス装置。
（５）アンテナとコントローラ間を導波管で接続したことを特徴とする上記（４）記載のランス装置。
（６）導波管が、マイクロ波送受信器に接続する第１の導波管と、アンテナに接続する第２の導波管と、第１の導波管及び第２の導波管よりも大径で、かつ、第１の導波管及び第２の導波管のそれぞれにテーパ管を介して接続する第３の導波管とで構成されることを特徴とする上記（５）記載のランス装置。
（７）処理ガスを外部から供給して噴射口から吹き出すためのガス流通路が、導波管を包囲して形成されていることを特徴とする上記（６）記載のランス装置。
（８）導波管が通気孔を有し、通気孔を通じてガス流通路を流通する処理ガスを導波管に流入させアンテナから噴出することを特徴とする上記（７）記載のランス装置。
（９）アンテナとコントローラ間を同軸ケーブルで接続したことを特徴とする上記（４）記載のランス装置。
（１０）アンテナが該アンテナに接続し、かつ、通気孔が形成された導波管を備えるとともに、処理ガスを外部から供給して噴射口から吹き出すためのガス流通路が導波管を包囲して形成されており、通気孔を通じてガス流通路を流通する処理ガスを導波管に流入させアンテナから噴出することを特徴とする上記（９）記載のランス装置。
（１１）マイクロ波距離計の距離出力により、ランスの位置を制御することを特徴とする上記（２）〜（１０）の何れか１項に記載のランス装置。
【発明の効果】
【００１０】
本発明のランス装置は、ランスにマイクロ波距離計のアンテナが取り付けられているため、ガス吹き付け中でも溶銑の液面までの距離を正確に計測でき、ランスを最適な位置に制御することができる。また、アンテナからガスを噴出することにより、浮遊物がアンテナに付着したり、導波管内に侵入することがなく、良好な距離計測ができる。
【発明を実施するための最良の形態】
【００１１】
以下、本発明に関して図面を参照して説明する。
【００１２】
図２は、上吹き転炉において、本発明のマイクロ波距離計を組み込んだランス装置を使用して脱炭処理を施している様子を模式的に示す断面図である。
【００１３】
ランス装置は、ランスホール２３を通じて転炉２９に向けて降下される。ランス２２には、転炉２９と対向する下面にガスの噴射口２５が形成されており、その反対側の上部にはマイクロ波の送受信機能や演算機能等を備えるコントローラ２１が取り付けられている。コントローラ２１は、転炉２９の外部に位置し、常温に置かれるため、熱による影響を受けることがない。
【００１４】
また、コントローラ２１のマイクロ波発振器（図示せず）から発振されたマイクロ波は、ランス２２のハウジング内を通る導波管（図３参照）または同軸ケーブル（図４参照）を伝搬し、ランス２２の下面中央部に取り付けられたアンテナ２４から溶銑の液面２８に向けて送信される（マイクロ波ビーム２６）。アンテナ２４から送信されたマイクロ波ビーム２６は、溶銑の液面２８で反射されてアンテナ２４で受信され、導波管または同軸ケーブルを伝搬してコントローラ２１のマイクロ波検波器（図示せず）にて検波される。コントローラ２１では、マイクロ波の発振から検波までの時間を基に、ランス２２の下面と溶銑の液面２８との距離を算出し、ランス２２の位置情報として出力する。そして、この位置情報を基に、ランス２２の降下位置を制御する。尚、マイクロ波発振器とマイクロ波検波器とを共通化して、マイクロ波送受信器とすることもできる。
【００１５】
ランス２２の噴射口２５から吹き付けられる純酸素ガス２７により溶銑の液面２８は、図示のように激しく波打っているが、本発明のランス装置によれば、純酸素ガスの吹き付け中であっても溶銑の液面２８を検出できる。そのため、ランス２２を常に最適位置に制御できる。
【００１６】
また、溶銑の液面２８にスラグが存在する場合でも、スラグは溶銑と比べ比重が小さいため、アンテナ２４から吹き付けられた純酸素ガスによりアンテナ直下に位置するスラグを外側に移動させることができ、マイクロ波ビーム２６は確実に溶銑の液面２８に送信され、正確な距離計測ができる。
【００１７】
あるいは、マイクロ波はスラグを透過する性質があるため、純酸素ガスの吹き付けを停止してマイクロ波ビーム２６を送信することにより、マイクロ波ビーム２６の一部がスラグ面で反射され、残りがスラグを通過して溶銑の液面２８で反射され、コントローラ２１ではスラグ面で反射されたマイクロ波ビームと溶銑の液面２８で反射されたマイクロ波ビームとを検出して、それぞれの液面までの距離を計測し、より遠方の方を溶銑の液面２８までの距離と判定する。また、スラグの表面までの距離と、溶銑の液面２８までの距離との差からスラグ厚を算出し、スラグ量を知ることもできる。
【００１８】
図３は、マイクロ波の伝搬に導波管を使用した場合のランス内の詳細を示す模式図である。
【００１９】
上記と同様に、ランス４０の上部にはコントローラ３１が取り付けられており、下面にはその中央部にアンテナ３６が取り付けられ、アンテナ３６の近傍には噴射口が形成されている。コントローラ３１がランス４０の上部に取り付けされているため、後述する純酸素ガスのガス流通路や冷却水流通路を妨げることがない。
【００２０】
コントローラ３１のマイクロ波送受信器には徐々に拡径するテーパ管３２１が接続され、このテーパ管３２１に連続して大径の導波管３３が接続している。大径の導波管３３には徐々に狭窄するテーパ管３２２が接続され、更にテーパ管３２２にはアンテナ３６に付属する通常サイズの直管の導波管３５が接続している。変調周波数の違いでマイクロ波の伝搬速度が変わり、距離計測精度が悪くなるが、大径の導波管３３によりマイクロ波の変調周波数に関係なくマイクロ波の伝搬速度を大気中と同じにすることができ、精度低下を防ぐことができる。
【００２１】
また、大径の導波管３３に多数の通気穴３４を形成し、その周囲に純酸素ガス用のガス流通路３７を形成することにより、純酸素ガスがこの通気穴３４を通じて、矢印４１で示すようにアンテナ３６からも噴出される。従って、浮遊物がアンテナ３６に付着したり、導波管内に侵入することがなく、マイクロ波ビームの送受信を常に良好にする。尚、図中の矢印４２は、噴射口から噴出される純酸素ガスである。また、通気穴はテーパ管に形成してもよい。
【００２２】
更に、ランス内部のガス流通路３７の外側領域は、冷却水を流通させるための冷却水流通路となっており、冷却水入口３８から冷却水を流入させ、内部を循環させた後、冷却水出口３９から流出させる。これにより、溶銑からの輻射熱からランス４０が保護される。
【００２３】
図４は、マイクロ波の伝搬に同軸ケーブルを使用した場合のランス内の詳細を示す模式図であるが、図３に示すランス装置とは、導波管３３及びテーパ管３３１，３３２に代えて、同軸ケーブル４２とした以外は同様である。
【００２４】
即ち、ランス５１の上部にはコントローラ４１が取り付けられており、下面にはその中央部にアンテナ４７が取り付けられ、アンテナ４７の近傍には噴射口が形成されている。コントローラ５１のマイクロ波送受信器には、同軸ケーブル４２が接続される。同軸ケーブル４２は、ガス流通路４８の軸線に沿って配設された同軸ケーブル保護パイプ４３に挿通されている。また、同軸ケーブル４２の他端は、同軸導波管変換器４４を介して通気穴が多数形成された穴開き導波管４５に接続され、更に穴開き導波管４５にはアンテナ４７の導波管４６が接続されている。この穴開き導波管４５の通気穴を通じて、ガス流通路４８に供給された純酸素ガスが矢印５２で示すようにアンテナ４７からも噴出される。尚、図中の矢印５３は、噴射口から噴出される純酸素ガスである。また、冷却水入口４９から冷却水が流入し、ランス内部を循環して冷却水出口５０から流出してランス４０を冷却する。
【００２５】
本発明のランス装置において送受信に使用されるマイクロ波は、電界分布がある一方向に向いた直線波を用いてもよいが、時計回りあるいは反時計回りに電界分布が回転する回転波を用いることが好ましい。回転波は反射の都度、その回転方向が反転する性質があるため、溶銑の液面で反射されたマイクロ波（回転波）と、溶銑の液面で反射され更に他部材で反射されたマイクロ波（回転波）とを明確に区別でき、計測精度が大きく高まる。回転波とするには、円偏波器を用いる等、公知の方法で実施できる。
【図面の簡単な説明】
【００２６】
【図１】従来の上吹き転炉の一例を示す断面図である。
【図２】本発明のランス装置を備える上吹き転炉の一例を示す断面図である。
【図３】ランスの他の例を示す断面図である。
【図４】ランスの更に他の例を示す断面図である。
【符号の説明】
【００２７】
２１  コントローラ
２２  ランス
２４  アンテナ
２５  噴射口
２８  溶銑の液面
２９  転炉
３３  導波管
３２１，３２２  テーパ管
４２  同軸ケーブル
【図１】
2009097035.tif 000003
【図２】
2009097035.tif 000004
【図３】
2009097035.tif 000005
【図４】
2009097035.tif 000006